(57)【要約】      （修正有）【課題】背広の着脱や着用時の動作を容易にする機能性背広を提供する。【解決手段】背広は、表地と、少なくとも１つの伸縮性素材を有する裏地とを備える。伸縮性素材は、垂直方向の伸縮率と、垂直方向の伸縮率よりも大きな水平方向の伸縮率を有する。特に、背広上衣は、プリーツを後身頃裏地略中央に備える。また、スラックスはスラックス内面ウエスト部分にテープを備える。【選択図】図１
0003189846.tif 000002
【実用新案登録請求の範囲】
【請求項１】
表地と、
少なくとも１つの伸縮性素材を有する裏地と
を備える背広であって、該伸縮性素材は、垂直方向の伸縮率と、該垂直方向の伸縮率よりも大きい水平方向の伸縮率とを有する背広。
【請求項２】
前記背広が背広上衣であり、前記伸縮性素材がプリーツである請求項１に記載の背広。
【請求項３】
前記プリーツは、後身頃略中央の裏地に配置されている請求項２に記載の背広。
【請求項４】
前記プリーツは、後身頃略中央の略上半分の裏地に配置されている請求項３に記載の背広。
【請求項５】
後身頃の袖ぐりの裏地にメッシュをさらに含む請求項２〜４のいずれか１項に記載の背広。
【請求項６】
後身頃脇の裏地に、メッシュをさらに含む請求項２〜４のいずれか１項に記載の背広。
【請求項７】
前記背広がスラックスであり、前記伸縮性素材が該スラックス内面ウエスト部分に配置されるテープである請求項１に記載の背広。
【考案の詳細な説明】
【技術分野】
【０００１】
本考案は、着脱や着用時の動作を容易にする機能性背広に関する。
【背景技術】
【０００２】
衣服において、機能性の向上のために伸縮性素材を表面に配置することは周知である。特に、スポーツウェアやレジャーウェアについては、伸縮性素材を備える衣服が多数存在する。
【０００３】
しかしながら、背広については、機能性の向上を図って伸縮性素材を備えるものは多くない。特に、背広においては、両肩の背中側中間部付近やスラックスのウエスト部分などに、特に身体の周方向への伸縮が要求される部位が存在するものの、これらの部位に効果的に伸縮性素材を配した背広は存在しない。せいぜいメッシュを袖ぐりに備える背広上衣が知られている程度である（特許文献１、特許文献２）。これらの従来のメッシュは、上下左右に均等に一定の伸縮率を有する素材であり、背広の特に身体の周方向への伸縮が要求される部位に配置したとしても、機能性の大きな改善にはつながらない。
【先行技術文献】
【特許文献】
【０００４】
【特許文献１】特開２０１０−２４８６７６号公報
【特許文献２】実用新案登録第３１５５７０４号公報
【考案の概要】
【考案が解決しようとする課題】
【０００５】
本考案は、背広の着脱や着用時の動作を容易にすることを課題とする。
【課題を解決するための手段】
【０００６】
本考案者らは、背広の裏地に、垂直方向の伸縮率よりも水平方向の伸縮率が大きな伸縮性素材を設けることによって、背広の着脱や着用時の動作が顕著に容易になることを発見し、本考案を完成した。
【０００７】
１つの局面において、本考案は、表地と、少なくとも１つの伸縮性素材を有する裏地と
を備える背広であって、該伸縮性素材は、垂直方向の伸縮率と、該垂直方向の伸縮率よりも大きい水平方向の伸縮率とを有する背広を提供する。
【０００８】
好ましくは、上記背広は背広上衣であり、上記伸縮性素材はプリーツである。
【０００９】
好ましくは、上記プリーツは、後身頃略中央の裏地に配置されている。
【００１０】
好ましくは、上記プリーツは、後身頃略中央の略上半分の裏地に配置されている。
【００１１】
好ましくは、上記背広は、後身頃の袖ぐりの裏地にメッシュをさらに含む。
【００１２】
好ましくは、上記背広は、後身頃脇の裏地に、メッシュをさらに含む。
【００１３】
好ましくは、上記背広はスラックスであり、上記伸縮性素材は該スラックス内面ウエスト部分に配置されるテープである。
【考案の効果】
【００１４】
本考案は、背広の裏地に、垂直方向の伸縮率よりも水平方向の伸縮率が大きな伸縮性素材を設けることによって、背広の着脱や着用時の動作を顕著に容易にするという効果を奏する。したがって、本考案により、着脱や着用時の動作が容易な機能的な背広が提供される。
【図面の簡単な説明】
【００１５】
【図１】図１は、本考案の一実施形態の背広上衣を示す正面図である。
【図２】図２は、本考案の一実施形態の背広上衣の後身頃と前見頃の内側を示した展開図である。
【図３】図３は、本考案の別の実施形態の背広上衣の後身頃と前見頃の内側を示した展開図である。
【図４】図４は、本考案の別の実施形態の背広上衣の後身頃と前見頃の内側を示した展開図である。
【図５】図５は、本考案において用いられるプリーツの一例の拡大写真である。
【図６】図６は、本考案において後身頃脇の裏地に設けられるメッシュの一例の拡大写真である。
【図７】図７は、本考案の別の実施形態のスラックスを裏返した状態の正面図を示す。
【図８】図８は、本考案のスラックスの内面ウエスト部分に配置されるテープの一例の拡大写真である。
【考案を実施するための形態】
【００１６】
以下に本考案を、必要に応じて、添付の図面を参照して例示の実施例により説明する。本明細書において使用される用語は、特に言及しない限り、当該分野で通常用いられる意味で用いられることが理解されるべきである。したがって、他に定義されない限り、本明細書中で使用される全ての専門用語および科学技術用語は、本考案の属する分野の当業者によって一般的に理解されるのと同じ意味を有する。矛盾する場合、本明細書（定義を含めて）が優先する。
【００１７】
以下に提供される実施形態は、本考案のよりよい理解のために提供されるものであり、本考案の範囲は以下の記載に限定されるべきではない。本明細書中の記載を参酌して、本考案の範囲内で適宜改変を行なうことができることは、当業者に明らかである。
【００１８】
本考案において、「背広」とは、背広上衣およびスラックスをいい、スーツとも呼ばれる。本考案の背広は、ベストを含むスリーピース（三つ揃い）であってもよい。背広上衣とは、ジャケットともいう。スラックスは、ズボンともいう。本考案の背広は、第三者が背広と認識できる限り、当該分野で周知の任意の形状であってよい。また、本考案の背広は、例えば、ウール、麻、綿、アクリル、ポリエステルまたはこれらの混合物などの素材から製造され得るが、これらに限定されない。
【００１９】
本考案において、「表地」とは着用時に表側になる布地をいい、「裏地」とは着用時に裏側になる布地をいう。
【００２０】
本考案において、「伸縮性素材」とは、伸びたり縮んだりする任意の素材をいう。
【００２１】
本考案において、「伸縮率」とは、ある力に応じて、ある素材が伸び縮みする程度をいう。第１の伸縮率が第２の伸縮率よりも大きいとは、ある力に応じて伸び縮みする程度が、第1の伸縮率の方が第２の伸縮率よりも大きいことを意味する。
【００２２】
本考案の「水平方向の伸縮率」とは、伸縮性素材を背広に配置したときの、水平方向、すなわち着用時の身体の周方向への伸縮率をいう。本考案の「垂直方向の伸縮率」とは、伸縮性素材を背広に配置したときの、垂直方向、すなわち着用時の身体の丈方向への伸縮率をいう。
【００２３】
本考案の伸縮性素材の水平方向の伸縮率は、垂直方向の伸縮率よりも大きく、水平方向の伸縮率は、垂直方向の伸縮率の約１．１倍、１．２倍、１．３倍、１．４倍、１．５倍、１．６倍、１．７倍、１．８倍、１．９倍、２．０倍、２．５倍、３．０倍、３．５倍、４．０倍、４．５倍、５．０倍、またはそれ以上である。
【００２４】
本考案において、「後身頃」とは、背広上衣について袖および襟を除いた胴部分を前後の２つに分けたときに、後ろの部分をいう。
【００２５】
本考案における「メッシュ」とは、任意の網目状の素材をいう。
【００２６】
（プリーツ）
本考案において、「プリーツ」とは、平面状材料を蛇腹状に連続して折りたたんだ構造体を意味する。プリーツは、平面状材料に対して特定のピッチで山折り谷折りを繰り返す、ひだ状の構造体をいう。本考案のプリーツは、アコーディオン状のテープのような形状をしている。本考案のプリーツは、特定のピッチで折られた平面上材料の折り目が広がることによって、折り目に対して垂直方向に大きく開閉することができる任意の伸縮性素材であってよい。
【００２７】
好ましい実施形態では、本考案のプリーツを形成する平面上材料は、メッシュ素材であってよい。
【００２８】
好ましい実施形態では、本考案のプリーツは、ウール、麻、綿、アクリル、ポリエステルまたはこれらの混合物などの素材から製造され得るが、これらに限定されず、特に好ましくはポリエステル素材から製造される。本考案の好ましいプリーツの拡大図は、図５に示される。
【００２９】
本考案のプリーツにおける山折り・谷折りのピッチは、平面上材料の折り目が広がることによって折り目に対して垂直方向に開閉することができるようなピッチであればどのようなものであってもよく、当業者は、プリーツのピッチを適切に設定することができる。
【００３０】
（プリーツを備える背広上衣）
一実施形態において、本考案の背広上衣は、図１に示すように、プリーツを後身頃裏地の略中央に備える。背広上衣の裏地へのプリーツの取付は、背広の機能を損なわない限り任意の手段によって行ってもよく、当業者は適切な方法を選択してプリーツの裏地への取付を行うことができる。
【００３１】
図２は、図１に示される背広上衣の内面を示す展開図である。図２では、背抜きの背広上衣において、後身頃の裏地の略中央にプリーツを取り付けた構成が明確に示されている。このように、後身頃の裏地の略中央に、水平方向に大きく伸縮するプリーツを取り付けることによって、着脱時に腕を通す動作がスムーズに行えるようになり、着脱が顕著に容易になる。また、着用時の動作、特に腕を前方に出す動作を行う際に、両肩中間付近の背広がその動作を妨害することがなくなり、着用時の動作も容易になる。
【００３２】
別の実施形態においては、上記のようにプリーツを備える背広上衣の裏地に、さらに袖ぐりにメッシュを配置してもよい。後身頃の裏地の略中央にプリーツを、袖ぐり付近にメッシュを配置した背広上衣の内面を示す展開図を、図３に示す。図３に示す背広上衣は、プリーツのみならずメッシュも備えることにより、着用時の動きやすさがさらに向上している。
【００３３】
本考案のプリーツは、後身頃裏地の略中央に取り付けられる限り、その長さや幅はどのようなものであってもよい。図１〜３に示す背広とプリーツの長さを変えた背広上衣の展開図を、図４に示す。図４に示す実施形態の背広上衣は、プリーツに加え、後身頃裏地の脇部分に縦長テープ状のメッシュをさらに含む。図４に示す背広上衣も、プリーツのみならずメッシュも備えることにより、着用時の動きやすさがさらに向上している。
【００３４】
図４のＡＣ部分を拡大した（すなわち、プリーツの一部を拡大した）写真を、図５に示す。図５に示すプリーツは、垂直方向（すなわち、折り目に平行な方向）にも伸縮するが、それよりも大きく水平方向（すなわち、折り目に対して垂直な方向）に伸縮する。なお、図５に示すプリーツは、単なる例示であり、本考案のプリーツはこの形状や模様に限定されるものではない。また、図５に示すプリーツは、図４の実施形態の背広上衣に限定して取り付けられるものではなく、図１〜３に示す実施形態の背広上衣に取り付けられてもよいし、他の形状の背広上衣に取り付けられてもよい。
【００３５】
単なる例示のために、図４のＢＣ部分（すなわち、後身頃裏地脇部分のメッシュ）の拡大写真を図６に示す。本考案のメッシュは、網目状の素材であれば任意のものであってよく、図６に示されるものに限定されない。
【００３６】
（スラックス）
別の実施形態において、本考案は、内面ウエスト部分にテープ状伸縮性素材を備えるスラックスに関する。本考案の一実施形態のスラックスの内面を図７に示す。図７のＤＥ部（すなわち、テープ状伸縮性素材の一部）の拡大写真を図８に示す。本考案のスラックスに取り付けられる伸縮性素材は、身体の丈方向よりも身体の周方向に大きく伸縮する。このようなテープ状伸縮性素材によって、本考案のスラックスは、その着脱が顕著に容易になる。なお、図８に示すテープ状伸縮性素材は、単なる例示であり、本考案のテープ状伸縮性素材はこの形状や模様に限定されるものではない。
【００３７】
（他の実施形態）
前述の記述は、説明を目的とし、実用新案登録請求の範囲によって定義される本開示の範囲を限定するものではないということを理解されたい。他の側面、利点、および変更例もまた、以下の実用新案登録請求の範囲内にある。
【産業上の利用可能性】
【００３８】
本考案は、機能性の向上した背広を提供するため、背広の分野において有用である。
【図１】
0003189846.tif 000003
【図２】
0003189846.tif 000004
【図３】
0003189846.tif 000005
【図４】
0003189846.tif 000006
【図５】
0003189846.tif 000007
【図６】
0003189846.tif 000008
【図７】
0003189846.tif 000009
【図８】
0003189846.tif 000010